(57)【要約】ＭＰ３プレイヤ（５６）と電気的に接続可能なＦＭ送信機及び電源／充電アッセンブリ（１０）を提供する。上記アッセンブリは、内部にドッキング用の空胴部を備えた本体部（１２）を有するモジュール式ドッキングユニットを含み、本体部は、ＦＭ送信機及び電源／充電回路を含み、また、オーディオコンテンツがモジュール式ドッキングユニットのドッキング用空胴部におけるＭＰ３プレイヤによって再生されるときＦＭ送信機による上記オーディオコンテンツのＦＭ送信を行うように、ＭＰ３プレイヤをＦＭ送信機及び電源／充電回路に接続する接続手段（２６，２８）をドッキング用空胴部内に含む。また、本体部は、モジュール式ドッキングユニット及び内部の電源／充電回路を介して電力を送り、ＭＰ３プレイヤのバッテリを充電し、及び／又は、ＭＰ３プレイヤに電力を供給するように適合化されている。
2005533477.tif 000002
【特許請求の範囲】
【請求項１】
ＭＰ３プレイヤと電気的に接続可能なＦＭ送信機及び電源／充電アッセンブリであって、
上記アッセンブリは、内部にドッキング用の空胴部がある本体部を有するモジュール式ドッキングユニットを備え、
上記本体部は、
上記ＦＭ送信機及び電源／充電回路と、
上記ドッキング用の空胴部に含まれた接続手段であって、オーディオコンテンツが上記モジュール式ドッキングユニットの上記ドッキング用の空胴部における上記ＭＰ３プレイヤによって再生されるとき上記ＦＭ送信機による上記オーディオコンテンツのＦＭ送信を行うように、上記ＦＭ送信機及び電源／充電回路を上記ＭＰ３プレイヤに接続する接続手段と、
上記モジュール式ドッキングユニット及びその内部の上記電源／充電回路を介して電力を伝送し、上記ＭＰ３プレイヤのバッテリを充電し、及び／又は、上記ＭＰ３プレイヤに電力を供給する手段をと含むアッセンブリ。
【請求項２】
上記ドッキング用の空胴部における上記接続手段はファイヤーワイヤー接続部を備えた請求項１記載のアッセンブリ。
【請求項３】
上記モジュール式ドッキングユニットは、上記ユニットの動作状態を示す少なくとも１つの表示灯を備えた請求項１記載のアッセンブリ。
【請求項４】
上記表示灯は上記ユニットの「オン」又は「オフ」状態を示す請求項３記載のアッセンブリ。
【請求項５】
上記表示灯は、上記モジュール式ドッキングユニットの空胴部にドッキングされたＭＰ３プレイヤ内のバッテリの充電状態を示す請求項３記載のアッセンブリ。
【請求項６】
上記モジュール式ドッキングユニットは、高分子材料で形成されたハウジングを備えた請求項１記載のアッセンブリ。
【請求項７】
上記ＦＭ送信機は約６フィートまでの送信範囲を有する請求項１記載のアッセンブリ。
【請求項８】
上記ＦＭ送信機は約８５メガヘルツから約９５メガヘルツまでの範囲の周波数の出力オーディオ信号を生成する請求項１記載のアッセンブリ。
【請求項９】
上記ＦＭ送信機は上記範囲内で単一の周波数の出力信号を生成する請求項８記載のアッセンブリ。
【請求項１０】
上記ＦＭ送信機は上記範囲内で可変な周波数の出力信号を生成する請求項８記載のアッセンブリ。
【請求項１１】
ｉＰＯＤ（登録商標）ＭＰ３プレイヤとドッキングするように構成されかつ配置された請求項１記載のアッセンブリ。
【請求項１２】
請求項１記載のＦＭ送信機及び電源／充電アッセンブリと、上記アッセンブリのモジュール式ドッキングユニットのドッキング用の空胴部内にドッキングされたＭＰ３プレイヤとを含む音響システム。
【請求項１３】
上記ＭＰ３プレイヤはｉＰＯＤ（登録商標）ＭＰ３プレイヤを含む請求項１２記載の音響システム。
【請求項１４】
卓上型ＦＭ受信機へ音楽を送信するように構成された請求項１２記載の音響システム。
【請求項１５】
乗り物のオーディオスピーカから音声を出力するために乗り物のＦＭ受信機へ音楽を送信するように構成された請求項１２記載の音響システム。
【請求項１６】
上記ＭＰ３プレイヤはファイヤーワイヤーポートを含む請求項１２記載の音響システム。
【請求項１７】
上記ＦＭ送信機は約６フィートまでの送信範囲を有する請求項１２記載の音響システム。
【請求項１８】
上記ＦＭ送信機は約８５メガヘルツから約９５メガヘルツまでの範囲の周波数の出力オーディオ信号を生成する請求項１２記載の音響システム。
【請求項１９】
上記ＦＭ送信機は約８５メガヘルツから約９５メガヘルツまでの範囲の可変な周波数の出力オーディオ信号を生成する請求項１２記載の音響システム。
【請求項２０】
請求項１記載のＦＭ送信機及び電源／充電アッセンブリと、上記ＦＭ送信機及び電源／充電アッセンブリのための少なくとも１つの電源アダプタ／充電器とを備えたＭＰ３プレイヤのアクセサリキット。
【発明の詳細な説明】
【技術分野】
【０００１】
本発明は、音楽のオンラインダウンロード、記憶装置への格納及び再生に使用されるＭＰ３プレイヤのためのアクセサリに関する。特に、本発明は、このようなＭＰ３プレイヤのためのＦＭ送信機及び電源／充電アッセンブリに関し、また、このようなアッセンブリを他の取り付け用アクセサリ／電源アクセサリ／充電アクセサリと組み合わせて備えたキットに関する。
【背景技術】
【０００２】
音楽プレイヤは、広範に変化するさまざまなタイプのものが世界中のいたるところに存在し、１９５０年代のポータブル型の単一のトランジスタラジオから、カセットテーププレーヤやコンパクトディスクプレーヤへ、様々な形態を経て年々進化してきており、より最近では、ユーザがインターネットサイトからオーディオ素材をダウンロードしてこれをＭＰ３（ＭＰＥＧ−１オーディオのレイヤー３）フォーマットでプレイヤの記憶媒体へ格納し、後に選択して聴くことを可能にするＭＰ３プレイヤへと進化している。
【０００３】
ＭＰ３プレイヤは、クリエイティブ・ラブズ（Creative Labs）から市販されるノマド（Nomad）ジュークボックス、ソニックブルー（SonicBlue）のリオボルト（rio volt）、アルコス・テクノロジー（Archos Technology）から市販されるジュークボックスレコーダ、及びその他多数を含む多くのものが開発され、そして市販されている。このようなタイプの大容量ＭＰ３プレイヤの１つに、アップル  コンピューター  インコーポレーテッド（Apple Computer, Inc.：カリフォルニア州クパチーノ）が２００１年に市場に投入したｉＰＯＤ（アイポッド：登録商標）ＭＰ３プレイヤがある。アップルのｉＰＯＤは、商業的作品の再生時間の長さで約１０００曲分の容量を有する。
【０００４】
前述のタイプのＭＰ３プレイヤはその携帯可能性をバッテリに依存し、また典型的には、ユーザによる聴取のためのヘッドセットが設けられる。
【発明の開示】
【発明が解決しようとする課題】
【０００５】
このようなＭＰ３プレイヤのサイズの小ささと軽量性の特性であって、その携帯可能性と使用の容易さとに欠かせない特性に関連付けられた１つの問題点は、バッテリの寿命である。もう１つの問題点は、ヘッドホンが設けられたＭＰ３プレイヤのパーソナルな性質にある。ＭＰ３プレイヤにはスピーカが設けられてもよいが、そのサイズの小ささと軽量性の特性はスピーカのサイズを制限し、このことは、乗り物の客室又は室内等にいる人々のグループへ音楽を送ることが所望される場合には所望されるものよりサイズを小さくする。
【課題を解決するための手段】
【０００６】
本発明は、１つの実施形態において、ＭＰ３プレイヤのためのＦＭ送信機及び電源／充電アッセンブリに関する。
【０００７】
１つの実施形態では、上記ＦＭ送信機及び電源／充電アッセンブリは、単一かつモジュール化されたドッキングユニットを備え、ＭＰ３プレイヤは上記ドッキングユニットと電気的な通信状態にあることが可能である。ｉＰＯＤ（登録商標）ＭＰ３プレイヤを収容する特定の実施形態におけるドッキングユニットは、ＭＰ３プレイヤのヘッドホン及びファイヤーワイヤー（firewire）のポートを介してＭＰ３プレイヤと相互接続する。ファイヤーワイヤーポートなしにＭＰ３プレイヤを収容する他の実施形態では、ドッキングユニットは、ヘッドホン及び電源のポートを介してＭＰ３プレイヤと相互接続することが可能である。ベース部分となるドッキングユニットは、単一のハウジング内部に、ＦＭ送信機と、ＭＰ３プレイヤのためのファイヤーワイヤー電源プラグとを含む。ベース部分となるドッキングユニットには、ベース部分となるドッキングユニットを、そのドッキングユニットへ取り付け可能な任意の適切な電源／充電用の構成要素へ連結するための、係合可能なプラグ接続部が設けられる。
【０００８】
もう１つの実施形態では、ＦＭ送信機及び電源／充電アッセンブリのベース部分となるドッキングユニットは、複数のアクセサリにてなるキットのうちの１つの構成要素として提供される。このキットは、ベース部分となるドッキングユニットの他に、例えば従来の１２ボルトソケットであるシガレットライターの電源ソケットに接続可能なラチェット式アーム部を備え、ここで、アーム部は、ＭＰ３プレイヤ及び装着されたドッキングユニットをユーザに対してさまざまな空間的位置のうちの任意のもので空間的に位置決めするように所定の軸に対して回転して調整することが可能な、取り付け装置としても機能する。キットはまた、オプションで、例えば机上への取り付け台又は壁への取り付けプレートにおいて、電源と接続可能な短いアダプタを含む。キットはさらに、オプションで、机上への取り付けが可能な形態のＭＰ３プレイヤをもたらすための、上記短いアダプタと係合可能な机上への取り付け台を含み、及び／又は、ＭＰ３プレイヤが壁に取り付けられる際にモジュール式ドッキングユニット内に配置されることが可能であるように、ＦＭ送信機及び電源／充電アッセンブリを壁に取り付けるための壁への取り付けプレートを含む。
【０００９】
本発明の他の態様、特徴及び優位点は、これらを保証する開示内容及び添付の請求の範囲によってさらに完全に明らかとなるであろう。
【発明を実施するための最良の形態】
【００１０】
本発明は、基本的なＭＰ３プレイヤの有用性を大幅に増大させる、ＭＰ３プレイヤのための統合化されたＦＭ送信機及び電源／充電アッセンブリを提供する。
【００１１】
本発明のアッセンブリにおけるＦＭ送信機は、ＭＰ３プレイヤを介して再生された音楽を、あるＦＭ周波数範囲へ送信して、オーディオ音楽信号のＦＭ受信を可能にし、上記オーディオ音楽信号は、次には、乗り物におけるＦＭ無線受信機やＦＭ送信機の近傍のＦＭラジオのようなＦＭ受信機を介して、またさもなければ、ＭＰ３プレイヤをソースとする音楽を、拡大されたエリアにわたって放送するためのＦＭ受信機を介して再生されることが可能である。
【００１２】
一例として、ＦＭ送信機及び電源／充電アッセンブリのベース部分となるドッキングユニットは、自動車又は他の乗り物の環境に配備されることが可能であり、この場合、上記ユニットは、乗り物のシガレットライターのソケットへ差し込まれる電源アダプタによって電力の供給を受ける。ＦＭ送信機は次に、ＭＰ３プレイヤをソースとする音楽をこのような乗り物内のＦＭ受信機へ送信し、乗り物の音響システムを使用して乗り物の内部の客室へ音楽を放送できるようにする。
【００１３】
ＦＭ送信機及び電源／充電アッセンブリは、後にさらに詳述するように、ＭＰ３プレイヤのバッテリを、より充分に充電された状態まで再充電できるようにするＡＣ充電器を備え、これにより、バッテリ電源がオンである間のＭＰ３プレイヤの使用が延長されることを可能にする。
【００１４】
ＦＭ送信機及び電源／充電アッセンブリは、後述のように、ベース部分となるドッキングユニットと、様々なアダプタ／充電器／取り付けアクセサリとを含むキットとして提供されることが可能である。
【００１５】
確実化のための議論は、ｉＰＯＤというＭＰ３プレイヤに対する特定の用途及び適用可能性を有する実施形態に関連しているが、本発明の有用性はこのように限定されるものではなく、他のＭＰ３プレイヤにも拡張されかつこれらのＭＰ３プレイヤを包含するということは認識されるであろう。従って、ｉＰＯＤであるＭＰ３プレイヤはファイヤーワイヤーポートを電源接続目的で利用するが、他のタイプのポート及び電気的接続手段も使用可能である。
【００１６】
次に図面を参照すると、図１は、ＦＭ送信機及び電源／充電アッセンブリ１０の正面の立面図を示し、上記ＦＭ送信機及び電源／充電アッセンブリ１０は、後壁を含む本体部１２を有し、この後壁の表面１４は側部レール１８及び２０とともに、ＭＰ３プレイヤを内部に選択的に収容可能な空胴部を画成する。以後、ＦＭ送信機及び電源／充電アッセンブリをモジュール式ドッキングユニットと呼ぶ。
【００１７】
図１に示すように、モジュール式ドッキングユニットには、ＭＰ３プレイヤのヘッドホンポートと合致するように係合することが可能な雄コネクタ要素２６が設けられるとともに、ＭＰ３プレイヤのファイヤーワイヤーポートと合致するように係合することが可能な接続部２８が設けられる。
【００１８】
モジュール式ドッキングユニットのハウジング内にはＦＭ送信機が提供され、上記ＦＭ送信機は、ＭＰ３プレイヤを介して再生された音楽を、あるＦＭ周波数範囲に送信する。ＦＭ送信機は適切な任意のタイプのものであってよく、音楽をＭＰ３プレイヤの近傍のＦＭ受信機へ送信するように動作する。
【００１９】
ＦＭ送信機は、例えば、８８乃至９５メガヘルツ（ＭＨｚ）のＦＭ帯域内の同調周波数と、４乃至６フィート以上の送信範囲とを有するものが提供されてもよい。このようなタイプのステレオ送信機は市販品を容易に入手することが可能であり、また、モジュール式ドッキングユニットへの組み込みに適したサイズを有している。
【００２０】
ＦＭ送信機は、単に、前述の８８乃至９５ＭＨｚ帯域内で固定された周波数で送信してもよく、あるいは、本送信機は、このようなスペクトル内で特定の周波数を選択するように同調可能であってもよい。
【００２１】
動作時に、ＦＭ受信機は、モジュール式ドッキングユニットによって送信された、ＭＰ３プレイヤからの送信された音声を受信し、次いで、例えばユーザの自動車内にあるようなＦＭ受信機は、例えばＦＭ受信機をモジュール式ドッキングユニット内の送信機の周波数に同調させることにより、乗り物の音響システムに対してオーディオコンテンツを送信することができる。
【００２２】
モジュール式ドッキングユニットはまた、そのハウジング内部に、ＭＰ３プレイヤのバッテリを充電するためのファイヤーワイヤー電源ポート又は他の電気的な入力ポート（例えばＵＳＢ又は他のポート）を介してＭＰ３プレイヤのバッテリを充電するためであるとともに、モジュール式ドッキングユニット内にドッキングされたときにＭＰ３プレイヤに電力を供給するための回路及び構成要素を含む。
【００２３】
図１に示すように、モジュール式ドッキングユニットは、その下側部分２２に表示灯３０及び３２を有し、この表示灯３０及び３２は、ＭＰ３プレイヤが充電中であるか又は完全に充電されているとき、及び／又はＭＰ３プレイヤが「オン」であるときを表示するように構成される。
【００２４】
モジュール式ドッキングユニットにはまた、ＭＰ３プレイヤや、モジュール式ドッキングユニットの充電機能などを選択的に動作させるためのオン／オフスイッチが設けられることも可能である。
【００２５】
図２はＭＰ３プレイヤの背面の立面図であり、電源コネクタ要素３８を含む接続空胴部３６を形成するボス（突起部）３７が設けられた後壁面３４を示す。モジュール式ドッキングユニットのハウジングは、ユニットの個々の部品を連結するように働く機械的な固定要素４０、４２、４４及び４６を有する、２つの部分からなる構成を有してもよい。それに代わって、モジュール式ドッキングユニットは、ここで上述したような回路及び構成要素を含む内部構成要素を挿入して組み立てるためのポート又は開口部を内部に有する、一体成形された素材の形式を有してもよい。
【００２６】
図３はモジュール式ドッキングユニットの右側面の立面図であり、ハウジングの上側部分における保持部材２４を示す。図４は、ユニットの内部アッセンブリ要素を保持するためのさらなる機械的固定具５０を含む、モジュール式ドッキングユニットの底面図である。
【００２７】
図５はモジュール式ドッキングユニットの上面図であり、親指で動作させることが可能な解放部材５４により係合状態から選択的に解除されることが可能な保持部材２４を示す。
【００２８】
図６はモジュール式ドッキングユニットの左側面の立面図であり、当該立面図の、図３に示す図と対称的な性質を示す。
【００２９】
図７は、本体１２の空胴部内に配置されたＭＰ３プレイヤ５６を有する、ＦＭ送信機及び電源／充電アッセンブリ１０を示す。
【００３０】
図８は、ＦＭ送信機及び電源／充電アッセンブリ１０の本体１２に取り付けられたＭＰ３プレイヤ５６に対応する見取り図である。この構成では、モジュール式ドッキングユニットは、モジュール式ドッキングユニットの背面において上方へ延在しかつボス３７上で電源要素３８（図２、図３及び図６参照）と連結するアーム部を有する台座６０上に取り付けられる。台座６０には電気的接続部６２が設けられ、上記電気的接続部６２は、図１に示すような構成要素２８によるＭＰ３プレイヤへの接点３８を介した送電のために、電力を台座６０に供給する電源コード６６に接続される電源プラグ６４を収容する。
【００３１】
格納されたオーディオコンテンツを再生するためにＭＰ３プレイヤが動作されると、対応する信号は、図１に示す接続要素２６を介してモジュール式ドッキングユニットのハウジング内のＦＭ送信機へ伝送され、このＦＭ送信機は、電源コード７０によって電力の供給を受けるＦＭ受信機６８に向かって送信されるＦＭ信号を発生する。次いで、ＦＭ受信機６８は、スピーカケーブル７４及び７８によって各々スピーカ７２及び７６に接続される。このようにして、ＭＰ３プレイヤ５６によって再生されたオーディオコンテンツは、ＦＭ送信機によりＦＭ受信機６８へ送信され、スピーカ７２及び７６で音声出力として出力される。
【００３２】
それと同時に、ＭＰ３プレイヤは充電されてユニットのバッテリ電力を補充することが可能であり、そのため、ＭＰ３プレイヤがモジュール式ドッキングユニットから取り外されたときに、ＭＰ３プレイヤにイヤホンを装備して、ＭＰ３プレイヤを個人用の聴取装置に配備することができる。
【００３３】
図８の実施形態は卓上型ＦＭ受信機を包含するものとして図示されているが、本構成は単に例示的なものであり、ＦＭ受信機を含む自動車又は乗り物の音響システムに適合可能であることは認識されるであろう。
【００３４】
図１乃至図６に示すようなモジュール式ドッキングユニットは、任意の適切な方法で電源に接続されることが可能である。
【００３５】
図９は、モジュール式ドッキングユニット上の図２に示す空胴部３６に合致する係合構造８２を含むラチェット式アダプタ８０を示す。接続構造８２は、手動の蝶ナット８６により位置決めされることが可能な軸８４を中心として回転可能であるように取り付けられる管状部材８１の正面にあり、蝶ナット８６は、アダプタの本体部８８に対する管状部材８１の姿勢を調節するために手動で選択的に締め付けたり、又は緩めたりすることができる。本体部８８は、電気的接点要素９２及び９４を備えたことを特徴とするプラグ端部９０に連結され、プラグ端部９０は、自動車のシガレットライターのソケット等の対応するソケットに係合される。
【００３６】
図１０は、プレート部材１０２上に取り付けられる円筒部材１００の先端部に係合構造９８を有するもう１つのアダプタ９６を示す。係合構造９８は、モジュール式ドッキングユニットの背面における空胴部３７（図２参照）と係合可能である。
【００３７】
図１０に示すプレート１０２には、取り付け用のねじや釘などを用いてアダプタを壁へ取り付けるための、取り付け用開口部１０４、１０６及び１０８が設けられる。
【００３８】
図１０に示すアダプタは、モジュール式ドッキングユニットが壁に取り付けられることを可能にし、これにより、ＭＰ３プレイヤは、壁に取り付けられたモジュール式ドッキングユニットに対して選択的にドッキングされ、また上記モジュール式ドッキングユニットから選択的に取り外されることが可能である。
【００３９】
図１１は机上取り付け部材１２０の斜視図であり、ここで、図１０に示す短いアダプタ９６は、選択的にこの中に配置されることが可能であり、又は机上取り付け部材１２０と連結して電源コード１２２に接続されることが可能である。
【００４０】
これにより、図１乃至図６に示すようなモジュール式ドッキングユニットは、係合構造と図２に示すような空胴部３７及び電気的接続部３８との係合により、机上取り付け部材のアダプタ９６に接続されることが可能である。
【００４１】
従って、本発明のＦＭ送信機及び電源／充電アッセンブリは、そこにドッキングされたＭＰ３プレイヤにＦＭ送信能力を与えると同時に、ＭＰ３プレイヤのバッテリに充電する能力を与えるとともに、ＭＰ３プレイヤをドッキングした状態で使用する間に電力を供給しながら、特定の構造にあって広範に変形可能であることが認識されるであろう。
【００４２】
これまでに示した様々なアダプタユニット及び関連の取り付け部材は、ドッキングされるＭＰ３プレイヤの様々な構成のための代替部品にてなるパッケージを提供するために、ＦＭ送信機及び電源／充電アッセンブリとともにキットとして提供されることも可能である。
【００４３】
ここでは、本発明を様々な例示的態様、特徴及び実施形態に関連して説明してきたが、本発明はこのように限定されるものではなく、ここにおける開示内容及び例示的教示内容に基づいて当業者には自ずから容易に示唆されるような他の特徴、変形及び代替の実施形態にまで広がりかつこれらを包含することは認識されるであろう。従って、添付の請求の範囲は、このような特徴、変形及び代替の実施形態をすべてその精神及び範囲のうちに包含するものと見なされかつ解釈されるべきである。
【図面の簡単な説明】
【００４４】
【図１】本発明の一実施形態に係るＦＭ送信機及び電源／アッセンブリ充電アッセンブリの正面の立面図である。
【図２】図１のＦＭ送信機及び電源／アッセンブリ充電アッセンブリの背面の立面図である。
【図３】図１及び図２のアッセンブリの右側面の立面図である。
【図４】図１及び図２のアッセンブリの底面図である。
【図５】図１及び図２のアッセンブリの上面図である。
【図６】図１及び図２のアッセンブリの左側面の立面図である。
【図７】図１のＦＭ送信機及び電源／アッセンブリ充電アッセンブリの、内部にＭＰ３プレイヤが取り付けられた状態における正面の立面図である。
【図８】本発明のＦＭ送信機及び電源／アッセンブリ充電アッセンブリのモジュール式ドッキングユニットを含み、内部にＭＰ３プレイヤが取り付けられ、さらに、取り付けられた音声スピーカを有するＦＭ受信機に対してＦＭ送信を行う関係にあるオーディオシステムの概略図である。
【図９】例えば従来型の１２ボルトソケットであるシガレットライターの電源ソケットと接続可能であり、所定の軸に対して回転して調整可能なラチェット式アダプタであり、上記アダプタの外側の接続する終端部は、ＦＭ送信機及び電源／充電アッセンブリのドッキングユニットの背面のポートに係合可能であり、ラチェット式アーム部は、ＭＰ３プレイヤをユーザに対して与えられた向きで空間的に位置決めするように所定の軸に対して回転して調整可能であるラチェット式アダプタの図である。
【図１０】図１乃至図６のドッキングユニットの背面の接続構造部と接続可能な短いアダプタであり、ＦＭ送信機及び電源／充電アッセンブリの壁への取り付けに適応した、壁への取り付けプレートを含むアダプタの図である。
【図１１】図１０の短いアダプタを載せることのできる机上への取り付け装置であって、机上取り付け部材上に取り付けられたアダプタに接続されたドッキングユニット内に載せられたＭＰ３プレイヤへのユーザによるデスクトップアクセスを提供するための、机上への取り付け装置である。
【図１】
2005533477.tif 000003
【図２】
2005533477.tif 000004
【図３】
2005533477.tif 000005
【図４】
2005533477.tif 000006
【図５】
2005533477.tif 000007
【図６】
2005533477.tif 000008
【図７】
2005533477.tif 000009
【図８】
2005533477.tif 000010
【図９】
2005533477.tif 000011
【図１０】
2005533477.tif 000012
【図１１】
2005533477.tif 000013
【手続補正書】
【提出日】平成16年2月4日(2004.2.4)
【手続補正１】
【補正対象書類名】特許請求の範囲
【補正対象項目名】全文
【補正方法】変更
【補正の内容】
【特許請求の範囲】
【請求項１】
ＭＰ３プレイヤと電気的に接続可能なＦＭ送信機及び電源／充電アッセンブリであって、
上記アッセンブリは、内部にドッキング用の空胴部がある本体部を有するモジュール式ドッキングユニットを備え、
上記本体部は、
上記ＦＭ送信機及び電源／充電回路と、
上記ドッキング用の空胴部に含まれた接続手段であって、オーディオコンテンツが上記モジュール式ドッキングユニットの上記ドッキング用の空胴部における上記ＭＰ３プレイヤによって再生されるとき上記ＦＭ送信機による上記オーディオコンテンツのＦＭ送信を行うように、上記ＦＭ送信機及び電源／充電回路を上記ＭＰ３プレイヤに接続する接続手段と、
上記モジュール式ドッキングユニット及びその内部の上記電源／充電回路を介して電力を伝送し、上記ＭＰ３プレイヤのバッテリを充電し、及び／又は、上記ＭＰ３プレイヤに電力を供給する手段をと含むアッセンブリ。
【請求項２】
上記ドッキング用の空胴部における上記接続手段はファイヤーワイヤー接続部を備えた請求項１記載のアッセンブリ。
【請求項３】
上記モジュール式ドッキングユニットは、上記ユニットの動作状態を示す少なくとも１つの表示灯を備えた請求項１記載のアッセンブリ。
【請求項４】
上記表示灯は上記ユニットの「オン」又は「オフ」状態を示す請求項３記載のアッセンブリ。
【請求項５】
上記表示灯は、上記モジュール式ドッキングユニットの空胴部にドッキングされたＭＰ３プレイヤ内のバッテリの充電状態を示す請求項３記載のアッセンブリ。
【請求項６】
上記モジュール式ドッキングユニットは、高分子材料で形成されたハウジングを備えた請求項１記載のアッセンブリ。
【請求項７】
上記ＦＭ送信機は約６フィートまでの送信範囲を有する請求項１記載のアッセンブリ。
【請求項８】
上記ＦＭ送信機は約８５メガヘルツから約９５メガヘルツまでの範囲の周波数の出力オーディオ信号を生成する請求項１記載のアッセンブリ。
【請求項９】
上記ＦＭ送信機は上記範囲内で単一の周波数の出力信号を生成する請求項８記載のアッセンブリ。
【請求項１０】
上記ＦＭ送信機は上記範囲内で可変な周波数の出力信号を生成する請求項８記載のアッセンブリ。
【請求項１１】
ｉＰＯＤ（登録商標）ＭＰ３プレイヤとドッキングするように構成されかつ配置された請求項１記載のアッセンブリ。
【請求項１２】
請求項１記載のＦＭ送信機及び電源／充電アッセンブリと、上記アッセンブリのモジュール式ドッキングユニットのドッキング用の空胴部内にドッキングされたＭＰ３プレイヤとを含む音響システム。
【請求項１３】
上記ＭＰ３プレイヤはｉＰＯＤ（登録商標）ＭＰ３プレイヤを含む請求項１２記載の音響システム。
【請求項１４】
卓上型ＦＭ受信機へ音楽を送信するように構成された請求項１２記載の音響システム。
【請求項１５】
乗り物のオーディオスピーカから音声を出力するために乗り物のＦＭ受信機へ音楽を送信するように構成された請求項１２記載の音響システム。
【請求項１６】
上記ＭＰ３プレイヤはファイヤーワイヤーポートを含む請求項１２記載の音響システム。
【請求項１７】
上記ＦＭ送信機は約６フィートまでの送信範囲を有する請求項１２記載の音響システム。
【請求項１８】
上記ＦＭ送信機は約８５メガヘルツから約９５メガヘルツまでの範囲の周波数の出力オーディオ信号を生成する請求項１２記載の音響システム。
【請求項１９】
上記ＦＭ送信機は約８５メガヘルツから約９５メガヘルツまでの範囲の可変な周波数の出力オーディオ信号を生成する請求項１２記載の音響システム。
【請求項２０】
請求項１記載のＦＭ送信機及び電源／充電アッセンブリと、上記ＦＭ送信機及び電源／充電アッセンブリのための少なくとも１つの電源アダプタ／充電器とを備えたＭＰ３プレイヤのアクセサリキット。
【請求項２１】
ＭＰ３プレイヤと電気的に接続可能なＦＭ送信機及び電源／充電アッセンブリであって、上記アッセンブリは、
ＦＭ送信機及び電源／充電回路を含む本体部と、
オーディオコンテンツが上記ＭＰ３プレイヤによって再生されるとき上記ＦＭ送信機による上記オーディオコンテンツのＦＭ送信を行うように、上記ＦＭ送信機及び電源／充電回路を上記ＭＰ３プレイヤに接続する接続手段と、
上記電源／充電回路及び上記接続手段を介して電力を伝送し、上記ＭＰ３プレイヤのバッテリを充電し、及び／又は、上記ＭＰ３プレイヤに電力を供給する手段とを備えたアッセンブリ。
【請求項２２】
上記ＦＭ送信機は約８５メガヘルツから約９５メガヘルツまでの範囲の周波数の出力オーディオ信号を生成する請求項２１記載のアッセンブリ。
【請求項２３】
上記ＦＭ送信機は上記範囲内で単一の周波数の出力信号を生成する請求項２１記載のアッセンブリ。
【請求項２４】
上記ＦＭ送信機は上記範囲内で可変な周波数の出力信号を生成する請求項２１記載のアッセンブリ。
【請求項２５】
上記電源／充電回路及び上記接続手段を介して電力を伝送する手段は、自動車のシガレットライターのソケットと係合可能なプラグコネクタを備えた請求項２１記載のアッセンブリ。
【手続補正書】
【提出日】平成17年2月8日(2005.2.8)
【手続補正１】
【補正対象書類名】特許請求の範囲
【補正対象項目名】全文
【補正方法】変更
【補正の内容】
【特許請求の範囲】
【請求項１】
ＭＰ３プレイヤと電気的に接続可能なＦＭ送信機及び電源／充電アッセンブリであって、
上記アッセンブリは、内部にドッキング用の空胴部がある本体部を有するモジュール式ドッキングユニットを備え、
上記本体部は、
上記ＦＭ送信機及び電源／充電回路と、
上記ドッキング用の空胴部に含まれた接続手段であって、オーディオコンテンツが上記モジュール式ドッキングユニットの上記ドッキング用の空胴部における上記ＭＰ３プレイヤによって再生されるとき上記ＦＭ送信機による上記オーディオコンテンツのＦＭ送信を行うように、上記ＦＭ送信機及び電源／充電回路を上記ＭＰ３プレイヤに接続する接続手段と、
上記モジュール式ドッキングユニット及びその内部の上記電源／充電回路を介して電力を伝送し、上記ＭＰ３プレイヤのバッテリを充電し、及び／又は、上記ＭＰ３プレイヤに電力を供給する手段をと含むアッセンブリ。
【請求項２】
上記ドッキング用の空胴部における上記接続手段はファイヤーワイヤー接続部を備えた請求項１記載のアッセンブリ。
【請求項３】
上記モジュール式ドッキングユニットは、上記ユニットの動作状態を示す少なくとも１つの表示灯を備えた請求項１記載のアッセンブリ。
【請求項４】
上記表示灯は上記ユニットの「オン」又は「オフ」状態を示す請求項３記載のアッセンブリ。
【請求項５】
上記表示灯は、上記モジュール式ドッキングユニットの空胴部にドッキングされたＭＰ３プレイヤ内のバッテリの充電状態を示す請求項３記載のアッセンブリ。
【請求項６】
上記モジュール式ドッキングユニットは、高分子材料で形成されたハウジングを備えた請求項１記載のアッセンブリ。
【請求項７】
上記ＦＭ送信機は約６フィートまでの送信範囲を有する請求項１記載のアッセンブリ。
【請求項８】
上記ＦＭ送信機は約８５メガヘルツから約９５メガヘルツまでの範囲の周波数の出力オーディオ信号を生成する請求項１記載のアッセンブリ。
【請求項９】
上記ＦＭ送信機は上記範囲内で単一の周波数の出力信号を生成する請求項８記載のアッセンブリ。
【請求項１０】
上記ＦＭ送信機は上記範囲内で可変な周波数の出力信号を生成する請求項８記載のアッセンブリ。
【請求項１１】
ｉＰＯＤ（登録商標）ＭＰ３プレイヤとドッキングするように構成されかつ配置された請求項１記載のアッセンブリ。
【請求項１２】
請求項１記載のＦＭ送信機及び電源／充電アッセンブリと、上記アッセンブリのモジュール式ドッキングユニットのドッキング用の空胴部内にドッキングされたＭＰ３プレイヤとを含む音響システム。
【請求項１３】
上記ＭＰ３プレイヤはｉＰＯＤ（登録商標）ＭＰ３プレイヤを含む請求項１２記載の音響システム。
【請求項１４】
卓上型ＦＭ受信機へ音楽を送信するように構成された請求項１２記載の音響システム。
【請求項１５】
乗り物のオーディオスピーカから音声を出力するために乗り物のＦＭ受信機へ音楽を送信するように構成された請求項１２記載の音響システム。
【請求項１６】
上記ＭＰ３プレイヤはファイヤーワイヤーポートを含む請求項１２記載の音響システム。
【請求項１７】
上記ＦＭ送信機は約６フィートまでの送信範囲を有する請求項１２記載の音響システム。
【請求項１８】
上記ＦＭ送信機は約８５メガヘルツから約９５メガヘルツまでの範囲の周波数の出力オーディオ信号を生成する請求項１２記載の音響システム。
【請求項１９】
上記ＦＭ送信機は約８５メガヘルツから約９５メガヘルツまでの範囲の可変な周波数の出力オーディオ信号を生成する請求項１２記載の音響システム。
【請求項２０】
請求項１記載のＦＭ送信機及び電源／充電アッセンブリと、上記ＦＭ送信機及び電源／充電アッセンブリのための少なくとも１つの電源アダプタ／充電器とを備えたＭＰ３プレイヤのアクセサリキット。
【請求項２１】
ＭＰ３プレイヤと電気的に接続可能なＦＭ送信機及び電源／充電アッセンブリであって、上記アッセンブリは、
ＦＭ送信機及び電源／充電回路を含む本体部と、
オーディオコンテンツが上記ＭＰ３プレイヤによって再生されるとき上記ＦＭ送信機による上記オーディオコンテンツのＦＭ送信を行うように、上記ＦＭ送信機及び電源／充電回路を上記ＭＰ３プレイヤに接続する接続手段と、
上記電源／充電回路及び上記接続手段を介して電力を伝送し、上記ＭＰ３プレイヤのバッテリを充電し、及び／又は、上記ＭＰ３プレイヤに電力を供給する手段とを備えたアッセンブリ。
【請求項２２】
上記ＦＭ送信機は約８５メガヘルツから約９５メガヘルツまでの範囲の周波数の出力オーディオ信号を生成する請求項２１記載のアッセンブリ。
【請求項２３】
上記ＦＭ送信機は上記範囲内で単一の周波数の出力信号を生成する請求項２２記載のアッセンブリ。
【請求項２４】
上記ＦＭ送信機は上記範囲内で可変な周波数の出力信号を生成する請求項２２記載のアッセンブリ。
【請求項２５】
上記電源／充電回路及び上記接続手段を介して電力を伝送する手段は、自動車のシガレットライターのソケットと係合可能なプラグコネクタを備えた請求項２１記載のアッセンブリ。
【請求項２６】
ＭＰ３プレイヤと電気的に接続可能なＦＭ送信機及び電源／充電アッセンブリであって、
上記アッセンブリはＦＭ送信機と、電源／充電回路と、ＭＰ３プレイヤを収容するドッキング用の空胴部を有するドッキングユニットとを備え、
上記ドッキングユニットは、
オーディオコンテンツが上記ドッキングユニットの上記ドッキング用の空胴部において上記ＭＰ３プレイヤによって再生されるとき上記ＦＭ送信機による上記オーディオコンテンツのＦＭ送信を行うように、上記ＦＭ送信機及び上記電源／充電回路を上記ＭＰ３プレイヤに接続し、
上記電源／充電回路を介して電力を伝送し、上記ＭＰ３プレイヤのバッテリを充電し、及び／又は、上記ＭＰ３プレイヤに電力を供給する手段を、上記ＭＰ３プレイヤに接続するように構成されかつ配置されたアッセンブリ。
【国際調査報告】
2005533477.tif 000014